(57)【要約】【課題】  挿脱口の開口範囲を大きくすることで、収納された光ディスクを捲り易くし、収納された記録媒体を容易に検索することができる。【解決手段】  底板１１と、底板１１に、この底板１１の第１の辺に沿った第１の折曲部よりなる第１のヒンジを介して設けられた前面板１２と、底板１１に、第１の辺と対向する第２の辺に沿った第２の折曲部よりなる第２のヒンジを介して設けられた背面板１３と、背面板１３に設けられた一対の側板１４，１５とを備える。前面板１２は、第１のヒンジを介して回動するとき、前面板１２の回動片２３，２４の係合部２３ａ，２４ａが第１の回動規制部２５ｂ，２６ｂに係合するまで回動し、背面板１３は、第２のヒンジを介して回動するとき、側板１４，１５の規制部２９が第２の回動規制部２５ｃ，２６ｃに係合するまで回動する。前面板１２と背面板１３とが外側に開くことで、挿脱口を広くする。【選択図】  図１
2006082867.tif 000002
【特許請求の範囲】
【請求項１】
内部に薄型収納物を立てた状態で収納する収納ケースにおいて、
底板と、
上記底板に、この底板の第１の辺に沿った第１の折曲部よりなる第１のヒンジを介して設けられた前面板と、
上記底板に、上記第１の辺と対向する第２の辺に沿った第２の折曲部よりなる第２のヒンジを介して設けられた背面板と、
上記背面板に設けられた一対の側板とを備え、
上記前面板には、上記側板に沿った回動片が設けられ、
上記底板には、上記側板に沿った回動規制片が設けられ、
上記回動規制片は、上記背面板側の辺に上記回動片の係合部が係合する第１の回動規制部が設けられ、上記前面板側の辺に、上記側板の上記前面板と隣接する側縁部に設けられた規制部に係合する第２の回動規制部が設けられ、
上記前面板は、上記第１のヒンジを介して回動するとき、上記前面板の回動片の係合部が上記第１の回動規制部に係合するまで回動可能であり、
上記背面板は、上記第２のヒンジを介して回動するとき、上記側板の規制部が上記第２の回動規制部に係合するまで回動可能であることを特徴とする収納ケース。
【請求項２】
上記底板、上記前面板、上記背面板、上記一対の側板、上記回動片及び上記回動規制片は、一枚のシート体で形成されている請求項１記載の収納ケース。
【請求項３】
更に、上記側板には、上記回動片及び回動規制片を押さえ込む押さえ片が設けられ、
上記回動片は、上記側板と上記押さえ片との間の折曲部に設けられた挿入口より上記側板と上記押さえ片との間に挿入され、
上記規制部は、上記折曲部の内側に設けられる請求項１又は請求項２記載の収納ケース。
【請求項４】
上記押さえ片の先端には、係止部が設けられ、上記係止部は、上記側板と上記背面板との折曲部に形成された係止孔に係止される請求項３記載の収納ケース。
【請求項５】
上面、前面上側、両側面の上側に亘って設けられる薄型収納物の挿脱口は、蓋体によって閉塞され、
上記蓋体は、上記上面及び上記前面上側を閉塞する請求項１乃至請求項４の内何れか１項記載の収納ケース。
【請求項６】
上記蓋体は、折曲部を介して上記背面板と一体的に形成されている請求項５記載の収納ケース。
【請求項７】
上記シート体は、厚紙で形成されている請求項２記載の収納ケース。
【請求項８】
上記薄型収納物は、光情報記録媒体である請求項１乃至請求項７の内何れか１項記載の収納ケース。
【請求項９】
内部に薄型収納物を立てた状態で収納する収納ケースの組立方法において、
上記収納ケースは、底板と、この底板の第１の辺に第１の折曲部を介して設けられる前面板と、上記底板の上記第１の辺と対向する第２の辺に第２の折曲部を介して設けられる背面板と、上記背面板の上記第２の折曲部に隣り合う第３及び第４の辺に第３及び第４の折曲部を介して設けられる一対の側板と、上記前面板の上記第１の折曲部に隣り合う第５及び第６の辺に第５及び第６の折曲部を介して設けられ先端側に係合部が設けられた回動片と、上記底板の上記第１及び第２の辺と隣り合う第７及び第８の辺に第７及び第８の折曲部を介して設けられると共に上記第７及び第８の折曲部と平行な第９及び第１０の折曲部を介した先端側に規制片が設けられた回動規制片と、上記側板に上記第３及び第４の折曲部と平行な第１１及び第１２の折曲部を介して設けられる押さえ片とを有し、
上記第３及び第４の折曲部に係止孔が設けられ、上記第１１及び第１２の折曲部に挿入口が設けられており、
上記回動規制片を上記第７及び第８の折曲部で折り曲げると共に、上記規制片を第９及び第１０の折曲部で折り曲げて折り癖を付け、
上記一対の側板を上記第３及び第４の折曲部で折り曲げ、
上記背面板を上記回動規制片が上記側板の内側に位置するように上記第２の折曲部で折り曲げると共に、上記押さえ片を上記第１１及び第１２の折曲部で上記回動規制片を包囲するようにして折り曲げ、上記折り癖が付けられた規制片を上記側板から離間した状態とし、
上記回動片を上記第５及び第６の折曲部で折り曲げると共に、上記前面板を上記第１の折曲部で折り曲げ、上記折り曲げられた回動片を、上記第１１及び第１２の折曲部の挿入口より挿入し、
上記第１１及び第１２の折曲部で折り曲げられた押さえ片を更に折り込み、上記押さえ片の係止部を、上記第３及び第４の折曲部の係止孔に係止する収納ケースの組立方法。
【発明の詳細な説明】
【技術分野】
【０００１】
本発明は、薄型収納物、特に光ディスク等の光情報記録媒体を複数収納するのに好適な収納ケース及びこの収納ケースの組立方法に関する。
【背景技術】
【０００２】
情報信号を記録する記録媒体の一つである光ディスクは、一枚ずつ販売するのではなく、複数枚を一にパッケージ化して販売されている場合が多い。具体的に、光ディスクは、光ディスクを一枚ずつ厚さが４ｍｍ〜１０ｍｍ程度の剛性を有する透明又は半透明の合成樹脂製の収納ケースに収納し、光ディスクを収納した複数の収納ケースを熱収縮性のフィルム等で一まとめにパック梱包して販売されている。また、他の販売形態としては、光ディスクをスピンドルケースのスピンドルに複数の光ディスクのセンタ孔を挿通し、複数枚光ディスクを積層したものを熱収縮性のフィルム等でパック梱包したものがある。更に、他の販売形態としては、紙や不織布の入った可撓性を有する透明又は半透明の合成樹脂製のスリーブケースに一枚ずつ光ディスクを収納し、光ディスクを収納した複数のスリーブケースを一つの梱包ケースに入れたものがある。
【０００３】
光ディスクは、ユーザ一人当たりの所有枚数も増えており、所望の光ディスクを探し出すことが面倒なものとなってきている。上述した剛性を有する収納ケースは、１０ｍｍ程度のものには背表紙があり、記録した情報信号に関連する情報を記載しておくこともできるが、背表紙を収納ケースから取り出す作業が面倒で利用されないことも多い。また、１０ｍｍより薄い合成樹脂製の収納ケースは、ケースそのものが薄型化されているため背表紙を入れることができない。その他、スピンドルケースに収納された光ディスクやスリーブケースに収納された光ディスクには、メモ書きのための用紙は用意されていない。
【０００４】
一方、ユーザが記録内容に関連するタイトル等の情報を光ディスクに直接記載していると、この場合、光ディスクに直接記載された内容を表すタイトルは、透明又は半透明の収納ケースやスリーブケースを介してユーザは視認することになる。
【０００５】
記録済み光ディスクを収納した収納ケースは、更に、梱包ケースに縦置き又は横置きで重ね合わされて収納されることが多い。また、スリーブケースに収納された光ディスクも、販売時から用いられている梱包ケースに収納され続けることが多い。梱包ケースの収納時には、光ディスクが収納ケース又はスリーブケースに収納された状態で縦又は横置きで積層されており、したがって、光ディスクの記録内容に関するタイトル等のメモ書きが光ディスクに直接記載されていると、メモ書きされた領域が隣接する収納ケースやスリーブケースに隠れてしまい、検索しづらい。また、スピンドルケースで光ディスクを購入した場合には、別途、光ディスクの収納ケースを用意する必要があり面倒である。
【０００６】
また、収納ケースは、組み立てに接着剤を必要としたり、部品点数が複数であることから、製造工程の工数が多くなるという問題がある。
【０００７】
なお、記録媒体の収納ケースとしては、特許文献１がある。この特許文献１には、一枚のシート体を組み立てて複数のディスクカートリッジが収納される収納ケースを組み立て、ディスクカートリッジの出し入れは、別部材のピンで回動量を規制された前面板のみを開閉して行うことが記載されている。しかしながら、この特許文献１は、前面板のみが回動するものであり、回動が前面板のみで行われることから、検索時において、一方向からしか開けられないので開口の自由度が足りず、ディスクカートリッジを捲りづらく、収納ケースに収納されている複数のディスクカートリッジの中から所望のディスクカートリッジを見つけ出すことは困難である。
【０００８】
特に、ディスクカートリッジより薄い収納ケースやスリーブケースに光ディスクを入れて収納する場合には、収納枚数も増えることから、特許文献１のように前面板を回動させるだけでは回動範囲が不十分で、光ディスクそのものに施された表示や所望の光ディスクの確認をするのが困難である。更に、特許文献１の収納ケースは、内部のディスクカートリッジの重量バランスの影響を受け易い。更に特許文献１の収納ケースは、実質的には、前面板の回動のためにピンを使用しており、部品点数が複数であり、製造工程の短縮化を十分に図ることができるものではない。
【０００９】
以上のような理由から、光ディスクの収納ケースにおいては、保管スペースの削減、整理保管のための補助用品の削減、ディスクの検索手間のための削減、廃棄梱包部材の削減、更なるコスト削減を総合的に考慮した販売梱包形態が求められている。
【００１０】
【特許文献１】特開２００１−９７４７２号公報
【発明の開示】
【発明が解決しようとする課題】
【００１１】
本発明は、以上のような問題点に鑑みてなされたものであり、内部に薄型収納物を立てた状態で保持できる収納ケースであって、製造工程及びコストの削減を図ることができ、内部に収納された収納物の多少にかかわらず、収納物を容易に視認することができ、収納物の検索が非常にし易い収納ケース及びこの収納ケースの組立方法を提供することを目的とする。
【００１２】
具体的に、本発明は、挿脱口の開口範囲を大きくすることで、収納された薄型収納物を捲り易くし、収納された薄型収納物、特に光情報記録媒体を容易に検索することができる収納ケース及びこの収納ケースの組立方法を提供することを目的とする。
【００１３】
また、本発明は、一枚のシート体だけで簡単に組み立てて完成される構成とすることで、製造工程の簡素化を図ることができる収納ケース及びこの収納ケースの組立方法を提供することを目的とする。
【００１４】
更に、本発明は、シート体を厚紙とすることで、製造コストの更なる削減を図ることができる収納ケース及びこの収納ケースの組立方法を提供することを目的とする。
【００１５】
更に、本発明は、梱包ケースをユーザがそのままファイリングケースとして使用することができるようにして梱包部材の有効活用をすることができる収納ケース及びこの収納ケースの組立方法を提供することを目的とする。
【課題を解決するための手段】
【００１６】
本発明に係る収納ケースは、内部に薄型収納物を立てた状態で収納する記録媒体の収納ケースであり、底板と、上記底板に、この底板の第１の辺に沿った第１の折曲部よりなる第１のヒンジを介して設けられた前面板と、上記底板に、上記第１の辺と対向する第２の辺に沿った第２の折曲部よりなる第２のヒンジを介して設けられた背面板と、上記背面板に設けられた一対の側板とを備える。上記前面板には、上記側板に沿った回動片が設けられ、上記底板には、上記側板に沿った回動規制片が設けられ、上記回動規制片は、上記背面板側の辺に上記回動片の係合部が係合する第１の回動規制部が設けられ、上記前面板側の辺に、上記側板の上記前面板と隣接する側縁部に設けられた規制部に係合する第２の回動規制部が設けられている。上記前面板は、上記第１のヒンジを介して回動するとき、上記前面板の回動片の係合部が上記第１の回動規制部に係合するまで回動可能であり、上記背面板は、上記第２のヒンジを介して回動するとき、上記側板の規制部が上記第２の回動規制部に係合するまで回動可能である。
【００１７】
この収納ケースは、底板と、この底板の第１の辺に第１の折曲部を介して設けられる前面板と、上記底板の上記第１の辺と対向する第２の辺に第２の折曲部を介して設けられる背面板と、上記背面板の上記第２の折曲部に隣り合う第３及び第４の辺に第３及び第４の折曲部を介して設けられる一対の側板と、上記前面板の上記第１の折曲部に隣り合う第５及び第６の辺に第５及び第６の折曲部を介して設けられ先端側に係合部が設けられた回動片と、上記底板の上記第１及び第２の辺と隣り合う第７及び第８の辺に第７及び第８の折曲部を介して設けられると共に上記第７及び第８の折曲部と平行な第９及び第１０の折曲部を介した先端側に規制片が設けられた回動規制片と、上記側板に上記第３及び第４の折曲部と平行な第１１及び第１２の折曲部を介して設けられる押さえ片とから構成された例えば一枚のシート体によって構成されている。また、上記第３及び第４の折曲部には係止孔が設けられ、上記第１１及び第１２の折曲部には挿入口が設けられている。
【００１８】
この収納ケースは、上記回動規制片を上記第７及び第８の折曲部で折り曲げると共に、上記規制片を第９及び第１０の折曲部で折り曲げて折り癖を付け、上記一対の側板を上記第３及び第４の折曲部で折り曲げる。次いで、上記背面板を上記回動規制片が上記側板の内側に位置するように上記第２の折曲部で折り曲げると共に、上記押さえ片を上記第１１及び第１２の折曲部で上記回動規制片を包囲するようにして折り曲げ、上記折り癖が付けられた規制片を上記側板から離間した状態とする。次いで、上記回動片を上記第５及び第６の折曲部で折り曲げると共に、上記前面板を上記第１の折曲部で折り曲げ、上記折り曲げられた回動片を、上記第１１及び第１２の折曲部の挿入口より挿入する。次いで、収納ケースは、上記第１１及び第１２の折曲部で折り曲げられた押さえ片を更に折り込み、上記押さえ片の係止部を、上記第３及び第４の折曲部の係止孔に係止することによって組み立てられる。
【発明の効果】
【００１９】
本発明によれば、前面板が第１のヒンジを介して回動するとき、前面板の回動片の係合部が第１の回動規制部に係合するまで回動可能であり、背面板が上記第２のヒンジを介して回動するとき、側板の規制部が第２の回動規制部に係合するまで回動可能であることから、前面板と背面板とを外側に開くことで、薄型収納物の挿脱口を大きくすることができる。したがって、薄型収納物を立てた状態で保持することができ、更に、薄型収納物の表示や収納物そのものの確認が容易となり、検索が非常にし易くなる。更に、挿脱口を開いた際には、重量バランスを、複数の内部の薄型収納物を前面板側と背面板側に適宜分散することができ、バランス良く開口幅を調整することができる。
【００２０】
換言すると、所望の薄型収納物を収納部内で重ね合わされた薄型収納物の中から見つけ出す際、隣接する薄型収納物の間隔を大きくすることができ、例えば薄型収納物の表面のメモ書きを容易に目視することができ、検索が容易となる。本発明は、検索製、生産性、使用性に優れ、光情報記録媒体のように薄型で一方の面に表示が行われる薄型収納物に特に好適である。また、本発明は、一枚のシート部材を組み立てることによって構成することができ、部品点数の削減により組み立て工程を簡素化することができると共に、製造コストの削減を図ることができる。
【発明を実施するための最良の形態】
【００２１】
以下、本発明を適用した収納ケースについて図面を参照して説明する。
【００２２】
図１及び図２に示す本発明を適用した収納ケース１０は、薄型収納物である光ディスク１を複数枚収納するものであり、出荷時、店頭販売時においては、収納ケース１０全体が熱収縮性のフィルムによってパック梱包されて陳列され、ユーザ購入後の使用時においては、ユーザが光ディスクを複数枚収納して保管するためのファイリングケースとして機能する。
【００２３】
この収納ケースに収納される光ディスク１は、例えば直径が１２ｃｍの光ディスクであり、更に具体的には、追記又は書換型のＣＤ（Compact Disc）、ＤＶＤ（Digital Versatile Disk）等を挙げることができる。これらの光ディスク１は、略矩形で一辺に挿入口２ａが形成されたスリーブケース２に収納された状態で収納ケース１０に縦置きに積層された状態で収納される。このスリーブケース２は、ポリプロピレン等の透明又は半透明の合成樹脂製の可撓性を有するシート体の３辺を融着して形成され、一辺に光ディスク１の挿入口２ａを形成している。収納ケース１０には、光ディスク１がスリーブケース２に収納された状態で、例えば最大２０枚収納することができる。
【００２４】
ユーザは、光ディスク１の信号記録面と反対側の非信号記録面に、記録内容に関するタイトル等の情報をメモ書きすることが多い。スリーブケース２は、透明又は半透明に形成されることで、ユーザが記録したメモ書きを外方から視認することができるようになっている。また、スリーブケース２の内部には、光ディスク１の信号記録面を保護するための紙又は不織布２ｂが収納されている。
【００２５】
以上のようなスリーブケース２は、既存の光ディスク１の収納ケースの中で薄型に属するものである。本発明を適用した収納ケース１０では、薄型に属するスリーブケース２を立てた状態で重ねて収納することで、より多くの光ディスク１を内部に収納できるようにしている。
【００２６】
なお、以上のような収納ケース１０に収納する収納物としては、光ディスク１といった記録媒体に限定されるものではなく、薄物の板状体であれば特に限定されない。また、収納物を記録媒体とするときには、上述のＣＤやＤＶＤ等の光情報記録媒体に限定されるものではなく、光ディスク、光磁気ディスク、磁気ディスク等を収納したディスクカートリッジ、半導体メモリを記憶素子に用いたＩＣカード等であっても良い。記録媒体を直接外部に露出させないディスクカートリッジ、ＩＣカード等では、スリーブケース２といった記録媒体を保護するケースに収納した状態で収納ケース１０に収納する必要は必ずしもない。
【００２７】
以上のようにスリーブケース２に収納された状態で光ディスク１が収納される収納ケース１０は、図１及び図２に示すように、略矩形の底板１１と、この底板１１の一方の長辺に一体的に設けられる前面板１２と、底板１１の他方の長辺に一体的に設けられる背面板１３と、背面板１３と一体的に設けられる一対の側板１４，１５とから構成され、内部に、スリーブケース２に収納された光ディスクが最大で２０枚収納される収納部１６が形成される。
【００２８】
なお、最大収納枚数は、２０枚に限定されるものではなく、これより少なくても又多くても良く、この場合、収納部１６の厚さを変更することで対応することができる。
【００２９】
前面板１２は、背面板１３より低く形成され、また、収納部１６に収納されたスリーブケース２より低く形成され、収納部１６に収納したスリーブケース２の上側略１／３程度を前面に露出させるようにし、収納部１６に収納した光ディスク１入りのスリーブケース２を目視し易くしている。すなわち、収納ケース１０では、光ディスク１を収納した透明又は半透明のスリーブケース２を傾倒して捲り易くし、スリーブケース２を介して光ディスク１の非信号記録面に記載された記録内容に関するメモ書きを目視し易くなっている。また、背面板１３は、収納部１６に収納されたスリーブケース２を安定して収納することができるように、略同じ高さ又は僅かに低くなるように形成されている。背面板１３の上端略中央部には、収納部１６に収納されたスリーブケース２の出し入れを容易に行うことができるようにするため、切欠部１６ａが形成されている。
【００３０】
側板１４，１５は、前面側が前面板１２と略同じ高さに形成され、背面板１３側に向かって高くなるように形成されている。側板１４，１５は、上端が前面から背面に向かって高くなるように形成されていることで、背面板１３とで収納部１６に安定して複数枚のスリーブケース２を収納することができるようにしている。また、側板１４，１５の背面側は、背面板１３と同じ高さとするのではなく、やや低くなるように形成されている。これにより、収納ケース１０では、例えば、収納部１６にスリーブケース２を色分けして収納した際に、積層された状態のスリーブケース２の中から所望の光ディスク１が収納されたスリーブケース２を容易に見つけ出すことができるようにしている。
【００３１】
以上のような外形形状を有する収納ケース１０では、上面、前面上側及び両側面上側が開放されており、スリーブケース２の挿脱を行う挿脱口１７となっている。
【００３２】
この収納ケース１０では、図２に示すように、底板１１と前面板１２とがなす第１の折曲部が前面板１２を底板１１に対して前方、すなわち図１及び図２中矢印Ａ方向に回動させるための第１のヒンジ部１８となっている。また、底板１１と背面板１３とがなす第２の折曲部が背面板１３を後方に、すなわち図１及び図２中矢印Ｂ方向に回動させるための第２のヒンジ部１９となっている。この収納ケース１０では、前面板１２が前方に所定角度、例えば１５°回動し、背面板１３が後方に所定角度、例えば１５°回動し、合計で３０°挿脱口１７が開くことで、スリーブケース２の挿脱を行い易くすることができると共に、光ディスク１を収納したスリーブケース２を傾倒して捲り易くし、収納された光ディスク１を容易に検索することができるようにしている。
【００３３】
なお、前面板１２の回動角度と背面板１３の回動角度は、上述した角度に限定されるものではなく、また、前面板１２の回動角度と背面板１３の回動角度は、異なっていても良い。また、前面板１２と背面板１３の回動角度は、収納物の形状、大きさ、重量等によって適宜変更可能である。
【００３４】
上述した側板１４，１５の内側には、更に、押さえ片２１，２２が設けられ、収納ケース１０の側面は、二重構造となっている。そして、側板１４，１５と押さえ片２１，２２の間には、前面板１２の両側縁中程に設けられた回動片２３，２４と、底板１１の両側縁に設けられた回動規制片２５，２６が設けられており、上述した前面板１２の回動と背面板１３との回動は、回動片２３，２４と回動規制片２５，２６とによって行われる。
【００３５】
図１乃至図３に示すように、回動片２３，２４は、前面板１２の両側縁中程に一体的に設けられ、側板１４，１５に沿うように略９０°折曲されている。回動片２３，２４は、下側に向かって湾曲して形成され、先端部に、回動規制片２５，２６に係合する係合部２３ａ，２４ａが形成されている。回動片２３，２４は、側板１４，１５と押さえ片２１，２２の折曲部に設けられた挿入口２３ｂ，２４ｂより側板１４，１５と押さえ片２１，２２との間に挿入される。
【００３６】
回動規制片２５，２６は、底板１１の相対する短辺に一体的に設けられ、上側に略９０°折曲されている。回動規制片２５，２６は、更に、前面板１２側に規制片２７，２８が延長方向に一体的に設けられている。回動規制片２５，２６及び回動規制片２５，２６に連続し一体的な規制片２７，２８は、側板１４，１５と押さえ片２１，２２との間に挿入されている。
【００３７】
回動規制片２５，２６の規制片２７，２８が設けられていない上端部２５ａ，２６ａは、前面板１２が図１乃至図３中反矢印Ａ方向に回動し、底板１１に対して略垂直の状態にあるとき、回動片２３，２４の係合部２３ａ，２４ａの先端面２３ｃ，２４ｃが突き当てられ、前面板１２が図１乃至図３中反矢印Ａ方向の内側に回動し過ぎないようにしている。回動規制片２５，２６の上端部２５ａ，２６ｂと連続する規制片２７，２８の背面板１３側の側縁は、回動片２３，２４の係合部２３ａ，２４ａが係合する第１の回動規制部２５ｂ，２６ｂとなっている。第１の回動規制部２５ｂ，２６ｂは、回動片２３，２４の係合部２３ａ，２４ａの内側が係合することによって、前面板１２の回動量を規制する。具体的に、第１の回動規制部２５ｂ，２６ｂは、図３中θ１（例えば１５°）の回動角を以て前面板１２が底板１１に対して回動するようにする。
【００３８】
回動規制片２５，２６及び規制片２７，２８の前面板１２側の側縁は、連続し直線をなすように形成され、更に、背面板１３側に傾斜するように形成され、背面板１３の回動量を規制する第２の回動規制部２５ｃ，２６ｃとなっている。第２の回動規制部２５ｃ，２６ｃは、背面板１３が底板１１に対して図１乃至図３中矢印Ｂ方向に回動したとき、側板１４，１５と押さえ片２１，２２との折曲部の内側の規制部２９に突き当たり、背面板１３が図３中θ２（例えば１５°）の回動角を以て背面板１３が底板１１に対して回動するようにする。
【００３９】
以上のような回動規制片２５，２６と規制片２７，２８とを側板１４，１５とで挟み込む押さえ片２１，２２は、その先端に係止部２１ａ，２２ａが設けられ、この係止部２１ａ，２２ａが背面板１３と側板１４，１５との折曲部に設けられた係止孔２１ｂ，２２ｂに係止されることによって、側板１４，１５と略平行な状態に保持される。これにより、側板１４，１５と押さえ片２１，２２との間には、回動片２３，２４と回動規制片２５，２６とが挟み込まれ、回動片２３，２４と回動規制片２５，２６とが確実に係脱するようになり、前面板１２と背面板１３の回動量を確実に規制することができる。なお、回動片２３，２４と回動規制片２５，２６と押さえ片２１，２２は、十分な強度を以て前面板１２と背面板１３とを回動支持することができれば何れか一方の側面のみに設けるようにしても良い。
【００４０】
図２に示すように、収納ケース１０では、第１のヒンジ部１８又は第２のヒンジ部１９を回動支点として前面板１２、背面板１３の何れか一方を外側に開くことも可能であるが、更に、前面板１２、背面板１３の両方を外側に開くことによって、挿脱口１７を更に大きく開くことができる。これにより、収納ケース１０は、収納部１６に収納した光ディスク１を収納したスリーブケース２を傾倒して一枚ずつ容易に捲ることができ、また、スリーブケース２を捲った際、その隣接するスリーブケース２との間隔を大きくすることができることから、光ディスク１の非信号記録面に記録された記録内容に関するメモ書き等を容易に目視することができる。また、挿脱口１７が開いた状態において、収納されているスリーブケース２は、前面板１２と背面板１３とに分散させて傾けることができ、収納ケース１０の重量バランスを容易に可変することができる。
【００４１】
ところで、この収納ケース１０は、複数部品で構成して接着剤や接着テープ等の接着部材等を用いて組み立てても良いが、図４に示すように、一枚のシート体３１を組み立てることによって形成しても良い。ここでシート体３１は、合成樹脂製のシート等であっても良いが、ここでは厚紙によって形成されている。このように、収納ケース１０は、一枚のシート体３１で構成すると、部品点数の削減を図ることができると共に、容易に組立を行うことができる。また、厚紙で形成された収納ケース１０は、合成樹脂のシート体で形成された場合に比べ裁断、溶解等により容易に廃棄処分することができる。
【００４２】
図４は、この収納ケース１０の展開図である。図４に示すように、シート体３１の中央には、略矩形の底板１１が設けられている。底板１１の一方の長辺には、第１の折曲部４１を介して略矩形の前面板１２が形成されている。この第１の折曲部４１は、上述した前面板１２の第１のヒンジ部１８となる部分である。また、底板１１の他方の長辺には、第２の折曲部４２を介して略矩形の背面板１３が形成されている。この第２の折曲部４２は、上述した背面板１３の第２のヒンジ部１９となる部分である。更に、背面板１３の第２の折曲部４２に隣り合う第３及び第４の辺には、第３及び第４の折曲部４３，４４を介して側板１４，１５が形成されている。第３及び第４の折曲部４３，４４の中程には、押さえ片２１，２２の係止部２１ａ，２２ａが係止される係止孔２１ｂ，２２ｂが形成されている。係止孔２１ｂ，２２ｂは、係止部２１ａ，２２ａの厚さと同じ又はやや幅狭に形成され、係止部２１ａ，２２ａが圧入され、係止部２１ａ，２２ａを確実に係止できるようにしている。
【００４３】
前面板１２の第１の折曲部４１に隣り合う第５及び第６の辺には、第５及び第６の折曲部４５，４６を介して回動片２３，２４が形成されている。この回動片２３，２４の先端部には、係合部２３ａ，２４ａが形成されている。更に、底板１１の第１及び第２の折曲部４１，４２と隣り合う第７及び第８の短辺には、第７及び第８の折曲部４７，４８を介して回動規制片２５，２６が形成されている。回動規制片２５，２６には、第７及び第８の折曲部４７，４８と平行な第９及び第１０の折曲部４９，５０を介した先端側に規制片２７，２８が形成されている。更に、側板１４，１５には、第３及び第４の折曲部４３，４４と平行な第１１及び第１２の折曲部５１，５２を介して押さえ片２１，２２が形成されている。第１１及び第１２の折曲部５１，５２には、中程に、回動片２３，２４が挿入される挿入口２３ｂ，２４ｂが形成されている。挿入口２３ｂ，２４ｂは、回動片２３，２４の厚さよりやや幅広に形成され、円滑に回動片２３，２４が移動するようになっている。また、押さえ片２１，２２の第１１及び第１２の折曲部５１，５２と平行な辺には、係止部２１ａ，２２ａが形成されている。
【００４４】
次に、収納ケース１０の組立方法について説明する。
【００４５】
先ず、図４中（１）に示すように、回動規制片２５，２６を第７及び第８の折曲部４７，４８を介して内側に折り曲げると共に、図４中（２）に示すように、第９及び第１０の折曲部４９，５０を介して規制片２７，２８を内側に折り曲げ折り癖を付ける。
【００４６】
次いで、図４中（３）に示すように、側板１４，１５を第３及び第４の折曲部４３，４４を介して内側に折り曲げる。
【００４７】
次いで、図４中（４）に示すように、背面板１３を、回動規制片２５，２６が側板１４，１５の内側に位置するように第２の折曲部４２で折り曲げる。更に、図４中（５）に示すように、押さえ片２１，２２を第１１及び第１２の折曲部５１，５２で回動規制片２５，２６を挟み込むようにして途中まで折り曲げ、図５に示すような状態とする。すなわち、規制片２７，２８は、第１１及び第１２の折曲部５１，５２で折り癖が付けられていることから、回動片２３，２４に対して更に内側に折り曲がり、側板１４，１５から離間した状態となる。
【００４８】
次いで、図４中（６）及び図５に示すように、回動片２３，２４を第５及び第６の折曲部４５，４６で内側に折り曲げると共に、図４中（７）に示すように、前面板１２を第１の折曲部４１で内側に折り曲げる。これに伴って、図５に示すように、回動片２３，２４は、係合部２３ａ，２３ｂを挿入端として、側板１４，１５と押さえ片２１，２２との間の第１１及び第１２の折曲部５１，５２に形成された挿入口２３ｂ，２４ｂに挿入される。このとき、規制片２７，２８は、第９及び第１０の折曲部４９，５０で折り癖が付けられ、側板１４，１５から離間した状態となっていることから、係合部２３ａ，２４ｂが規制片２７，２８に衝突することなく、規制片２７，２８の更に背面板１３側まで円滑に挿入することができる。
【００４９】
この後、途中まで折り曲げられた押さえ片２１，２２を更に側板１４，１５側に折り込み、折り癖が付けられている規制片２７，２８を側板１４，１５に突き当てるようにし、押さえ片２１，２２の係止部２１ａ，２２ａを第３及び第４の折曲部４３，４４に設けられた係止孔２１ｂ，２２ｂに係止する。
【００５０】
以上のような組立方法によれば、図５に示すように、回動規制片２５，２６と連続した先端側の規制片２７，２８を第９及び第１０の折曲部４９，５０で折り癖を付けてから、押さえ片２１，２２を、回動規制片２５，２６及び規制片２７，２８を側板１４，１５とで挟み込むようにして途中まで折り曲げ、この後、回動片２３，２４を第１１及び第１２の折曲部５１、５２の挿入口２３ｂ，２４ｂより挿入するようにしていることから、回動片２３，２４が回動規制片２５，２６及び規制片２７，２８に衝突することなく、規制片２７，２８の背面板１３側まで挿入することができる。そして、最後の工程で、折り癖が付けられている規制片２７，２８を側板１４，１５に突き当てるようにし、押さえ片２１，２２の係止部２１ａ，２２ａを第３及び第４の折曲部４３，４４に設けられた係止孔２１ｂ，２２ｂに係止することから、回動片２３，２４と回動規制片２５，２６とが曲げ方向に変位することが無くなり、確実に係脱するようにすることができ、前面板１２と背面板１３の回動量を確実に規制することができる収納ケース１０を組み立てることができる。
【００５１】
ここで、回動片２３，２４が挿入される挿入口２３ｂ，２４ｂは、回動片２３，２４の厚さより幅広に形成されていることから、前面板１２及び背面板１３の回動操作を円滑に行うことができる。また、押さえ片２１，２２の係止部２１ａ，２２ａが係止される背面板１３と側板１４，１５との間の第３及び第４の折曲部４３，４４に形成された係止孔２１ｂ，２２ｂは、係止部２１ａ，２２ａの厚さより幅狭に形成されていることから、確実に係止部２１ａ，２２ｂを係止することができ、したがって、使用時に収納ケース１０が分解してしまうことを防止することができる。
【００５２】
以上のように組み立てられた図１及び図２に示すような収納ケース１０は、前面板１２が第１の折曲部４１でなる第１のヒンジ部１８を支点とし、背面板１３が第２の折曲部４２でなる第２のヒンジ部１９を支点として、それぞれ独立して外側に開くように構成されていることから、挿脱口１７を大きくすることができる。したがって、収納部１６に重ね合わされて収納された光ディスク１を収納したスリーブケース２は、ユーザが検索を行うとき、容易に一枚ずつ捲ることができ、また、隣接するスリーブケース２との間隔を大きくすることができることから、光ディスク１の非信号記録面に記載された記録内容に関するメモ書きもスリーブケース２を介して容易に目視することができる。
【００５３】
また、挿脱口１７が開いた状態において、収納されている光ディスク１を収納したスリーブケース２を複数枚収納した状態において挿脱口１７が開かれたとき、収納されているスリーブケース２は、前面板１２と背面板１３とに分散して傾けることができる。したがって、収納ケース１０は、収納物の重量バランスを容易に可変することができると共に、挿脱口１７の開口幅を自由に変えることもでき、取り扱いが容易となる。
【００５４】
また、この収納ケース１０は、一枚の厚紙を用いて組み立てられているものであるから、ユーザは、収納ケース１０が傷んだとき、可燃ゴミとして容易に廃棄処分することができる。また、収納ケース１０は厚紙であるから、輸送時等に破損等の虞もなく、更に、再利用のしづらい合成樹脂の使用を控えることができる。また、収納ケース１０は、一枚のシート体３１で構成されていることで、部品点数の削減を図ることができると共に、組み立て作業を簡単に行うことができる。
【００５５】
また、この収納ケース１０は、既存の収納ケースの中で薄型に属するスリーブケース２に光ディスクを収納した状態で収納部１６に収納するようにしていることから、より多くの光ディスク１を収納することができる。
【００５６】
この収納ケース１０は、以上のように、ユーザが購入後においても、光ディスク１を収納しておくためにユーザが引き続き使用するファイリングケースとして機能する他に、複数枚の光ディスク１を熱収縮性のフィルムで１パック化して販売する際の梱包ケースとしても機能する。
【００５７】
例えば、図６に示すように、店頭で販売されるときには、収納ケース１０とは別部材の蓋体６１によって、挿脱口１７が閉塞される。この蓋体６１も、収納ケース１０と同様に、厚紙等の一枚のシート体によって形成されている。このシート体は、略矩形をなし、背面板１３と収納部１６に収納したスリーブケース２との間に挿入される挿入板６２と、挿脱口１７の上面を覆う上板６３と、挿脱口１７の前面側を覆うと共に前面板１２を覆う覆板６４とを有し、全体が略コ字状に形成されている。挿入板６２は、上板６３に対して折曲部を介して内側に折り曲げることによって形成されており、覆板６４は、上板６３に対して内側に折り曲げることによって形成されている。
【００５８】
この蓋体６１は、挿入板６２を背面板１３と収納部１６に収納したスリーブケース２との間に挿入し、覆板６４を前面板１２の外側から覆うようにして、収納ケース１０の挿脱口１７を閉塞する。そして、販売時には、収納ケース１０は、挿脱口１７が蓋体６１によって閉塞された状態で、更に、全体が透明又は半透明の熱収縮性のフィルムによって被覆されて１パック化されている。蓋体６１は、図６に示すように、側板１４，１５の上側を閉塞しないようにし、露出部６５を設けている。そして、露出部６５は、収納部１６に収納された収納物、すなわち積層された状態の光ディスク１が収納されたスリーブケース２を目視することができるようにし、例えばユーザが購入時収納枚数等を確認することができるようにしている。この蓋体６１は、ユーザの購入後、収納ケース１０より取り外されて廃棄されることになるが、厚紙等で形成されていることから、可燃ゴミとして容易に廃棄処分することができる。
【００５９】
以上のような挿脱口１７を閉塞する蓋体６１は、図７に示す蓋体７１のように、収納ケース１０と一体的であっても良い。図７は、蓋体７１を収納ケース１０と一体的にしたときの展開図を示す。この蓋体７１は、第２の折曲部４２と平行な背面板１３の辺に、背面板１３と連続して挿脱口１７の上面を覆う上板７２が設けられ、更に、この上板７２に連続して覆板７３が設けられている。背面板１３と上板５２との間は、挿脱口１７を閉塞する際の折曲部となると共にユーザの使用に蓋体７１を切除するできるようにする切取線７５となっている。また、上板７２と覆板７３との間は、挿脱口１７の閉塞時、覆板７３が前面板１２に沿うようにするための折曲部７６となっている。更に、覆板７３の先端部は、前面板１２の内側に挿入する挿入部７７となっている。
【００６０】
この蓋体７１は、収納ケース１０が組み立てられた後、ミシン目等で構成された切取線７５で挿脱口１７側に折り曲げられ、更に、覆板７３が折曲部７６で前面板１２に沿うように折り曲げられ、挿入部７７が前面板１２とスリーブケース２との間に挿入されることで、挿脱口１７を閉塞する。そして、販売には、全体が透明又は半透明の熱収縮性のフィルムによって被覆されて１パック化される。このとき、蓋体７１は、図８に示すように、側板１４，１５の上側を閉塞し無いようにし、露出部７８を設けている。露出部７８は、収納部１６に収納された収納物、すなわち積層された状態の光ディスク１が収納されたスリーブケース２を目視することができるようにし、例えばユーザが購入時収納枚数等を確認することができるようにしている。そして、蓋体７１は、ユーザが開封するとき、切取線７５で切除され、挿脱口１７を開放する。
【００６１】
以上のような蓋体７１は、収納ケース１０を構成するシート体３１の一部として構成されていることから、上述の蓋体６１のように、別のシート体で蓋体を設ける必要が無くなり、製造工程の簡素化を図ることができる。
【００６２】
更に、収納ケース１０の蓋体は、図９に示すように、箱体状の蓋体８１で構成しても良い。この蓋体８１は、収納ケース１０全体を被覆することができるように形成され、底面に開口部８２が設けられている。この蓋体８１は、開口部８２より収納ケース１０の上側から挿入され、収納ケース１０の底面を除く周囲を被覆する。そして、販売には、全体が透明又は半透明の熱収縮性のフィルムによって被覆されて１パック化される。この蓋体８１によれば、挿脱口１７全体を覆うことができることから、収納物である光ディスク１をしっかりと保護することができ、搬送時の振動等によっても光ディスクや収納ケース１０が汚損することを防止することができる。また、この蓋体８１には、開口部８２を構成する少なくとも一辺に、蓋体８１を収納ケース１０より外し易くするための切欠部８３が設けられている。この蓋体８１も、厚紙等の一枚のシート体によって組み立てられており、その製造が容易であると共に、廃棄処分が容易である。
【図面の簡単な説明】
【００６３】
【図１】本発明を適用した光ディスクの収納ケースを示す斜視図である。
【図２】上記収納ケースが開いた状態を示す斜視図である。
【図３】図１のＩ−Ｉ断面図である。
【図４】上記収納ケースの展開図である。
【図５】上記収納ケースの組み立て途中の状態を示す斜視図である。
【図６】収納ケースと分離した蓋体によって閉塞された状態を示す斜視図である。
【図７】蓋体を収納ケースと一体的にしたときの展開図である。
【図８】蓋体が一体的に設けられた収納ケースの斜視図である。
【図９】密閉型の蓋体によって収納ケースが閉塞された状態を示す斜視図である。
【符号の説明】
【００６４】
１  光ディスク、２  スリーブケース、２ａ  挿入口、１０  収納ケース、１１  底板、１２  前面板、１３  背面板、１４，１５  側板、１６  収納部、１７  挿脱口、１８  第１のヒンジ部、１９  第２のヒンジ部、２１，２２  押さえ片、２１ａ，２２ａ  係止部、２１ｂ，２２ｂ  係止孔、２３，２４  回動片、２３ａ，２４ａ  係合部、２３ｂ，２４ｂ  挿入口、２３ｃ，２４ｃ  先端面、２５，２６  回動規制片、２５ａ，２６ａ  上端部、２５ｂ，２６ｂ  第１の回動規制部、２５ｃ，２６ｃ  第２の回動規制部、２７，２８  規制片、２９  規制部
【図１】
2006082867.tif 000003
【図２】
2006082867.tif 000004
【図３】
2006082867.tif 000005
【図４】
2006082867.tif 000006
【図５】
2006082867.tif 000007
【図６】
2006082867.tif 000008
【図７】
2006082867.tif 000009
【図８】
2006082867.tif 000010
【図９】
2006082867.tif 000011